(57)【要約】【課題】電源プラグを回動させることで収納部から電源プラグを引き起こす構造のＡＣアダプタにおいて、感電への安全性を確保・向上し、製品を小型にできるＡＣアダプタを提供することを目的とする。【解決手段】電源プラグがＡＣアダプタ本体に配設された収納部に収納されて、電源プラグを回動させることで収納部から電源プラグを引き起こす構造のＡＣアダプタにおいて、電源プラグのツバを電源プラグの回動と連動して可動させることで、栓刃に指などが触れることによる感電に対する安全性を確保・向上すると共に、製品小型化に寄与した電源プラグを提供することができる。【選択図】図１
2008187818.tif 000002
【特許請求の範囲】
【請求項１】
ＡＣ商用電源と接続するためのダイレクトプラグインタイプの電源プラグを備え、前記ＡＣ商用電源と未接続時には電源プラグを回動させることにより、前記電源プラグを本体ケースの外郭面から突出しないように収納し、前記電源プラグのモールド部に前記電源プラグの栓刃と前記電源プラグの外郭端との距離を確保するための可動式のツバが配設されていることを特徴とするＡＣアダプタ。
【請求項２】
前記ＡＣアダプタにおいて、前記ツバの側面に前記ツバを可動させるための突起が配設され、前記本体ケースに前記突起の動きをガイドする溝が配設されたことを特徴とする請求項１記載のＡＣアダプタ。
【請求項３】
前記ＡＣアダプタにおいて、前記電源プラグを前記本体ケースに対して垂直、及び、水平の位置に回動させた状態で、前記ツバが前記栓刃と前記外郭端との距離を基準値以上にしたことを特徴とする請求項１記載のＡＣアダプタ。
【請求項４】
前記ＡＣアダプタにおいて、前記電源プラグを前記本体ケースに収納した状態で、前記ツバが前記栓刃の方向へ可動し、前記電源プラグがコンパクトになることを特徴とする請求項１記載のＡＣアダプタ。
【発明の詳細な説明】
【技術分野】
【０００１】
本発明は携帯型電子機器等に電源を供給するダイレクトプラグインタイプの電源プラグを備えたＡＣアダプタに関するものである。
【背景技術】
【０００２】
従来の携帯型電子機器等に電源を供給するＡＣアダプタにおいて、その多くが、携帯性を確保・向上するために、ＡＣ商用電源との接続をダイレクトプラグインタイプの電源プラグによって行なっている。
【０００３】
しかしながら、ＡＣ商用電源との接続を行なわない時には、一部に鋭利な部分もある角張った金属製の栓刃が機器本体の外郭部から突出していると、金属製の栓刃が他の機器を傷つける恐れがあり携帯に不向きであった。
【０００４】
上記の課題を解決するために、図７に示されるように、機器本体３１に栓刃収納溝３２を配設し、電源プラグ３３を使用しない時に機器本体３１に配設された栓刃収納溝３２に電源プラグ３３を収納するようにした構造になっており、電源プラグ３３を収納状態から引き起こす時には、電源プラグ３３を回動させて引き起こすものが知られている（例えば、特許文献１参照）。
【特許文献１】特開２００１−２７５２６４号公報
【発明の開示】
【発明が解決しようとする課題】
【０００５】
しかしながら、上記前述した従来技術において、プラグモールドの端から指などが電源プラグの栓刃に触れることよる感電に対する安全性を向上するため、電源プラグの栓刃からプラグモールドの端までの間にツバなどによって距離を確保することが望ましい。これによると、電源プラグの高さは栓刃の幅、及び、栓刃の周囲に配設されたツバの長さによって決まるため、電源プラグの高さに制約が生じることとなる。更に電源プラグを収納するための収納部の深さにも制約を与えることになり、しいてはＡＣアダプタ本体の製品高さに大きな制約を与え、製品小型化の障害になるという課題があった。
【０００６】
本発明は、この様な課題を解決するものであり、電源プラグの栓刃への接触による感電に対する安全性を向上し、かつ製品を小型化できるＡＣアダプタを提供することを目的とする。
【課題を解決するための手段】
【０００７】
本発明は前述した課題を解決するために、ＡＣ商用電源と接続するためのダイレクトプラグインタイプの電源プラグを備え、前記ＡＣ商用電源と未接続時には電源プラグを回動させることにより、前記電源プラグを本体ケースの外郭面から突出しないように収納し、前記電源プラグのモールド部に前記電源プラグの栓刃と前記電源プラグの外郭端との距離を確保するための可動式のツバが配設されていることを特徴とするＡＣアダプタである。
【０００８】
また、前記ＡＣアダプタにおいて、前記ツバの側面に前記ツバを可動させるための突起が配設され、前記本体ケースに前記突起の動きをガイドする溝を配設したり、ＡＣアダプタにおいて、前記電源プラグを前記本体ケースに対して垂直、及び、水平の位置に回動させた状態で、前記ツバが前記栓刃と前記外郭端との距離を基準値以上にする。
【０００９】
前記ＡＣアダプタにおいて、前記電源プラグを前記本体ケースに収納した状態で、前記
ツバが前記栓刃の方向へ可動し、前記電源プラグがコンパクトになるようにしている。
【発明の効果】
【００１０】
本発明は前述した課題を解決するために、電源プラグがＡＣアダプタ本体に配設された収納部に収納されて、電源プラグを回動させることで収納部から電源プラグを引き起こす構造のＡＣアダプタにおいて、電源プラグを回動させた時に、電源プラグのツバ部が可動するように配設する。また、指などが栓刃に触れることによる感電に対する安全性を向上するために、電源プラグの栓刃がＡＣアダプタ本体及び電源プラグの外郭面から４ｍｍ以上の距離を確保する。さらに、電源プラグを収納部に収納した時にＡＣアダプタ本体の外郭面から電源プラグが突出することなく収納できるよう、ツバ部に可動構造を設ける。
【００１１】
以上のことから、電源プラグのツバ部が可動するように配設することで、電源プラグの栓刃に指などが接触することによる感電に対する安全性を向上すると共に、小型のＡＣアダプタを提供することができる。
【発明を実施するための最良の形態】
【００１２】
以下、本発明の実施形態について、本発明の一例を図１〜図６を参照しながら説明する。図１において、本発明の一例のＡＣアダプタ１０には、本体ケース１１と、ＡＣアダプタ１０にＡＣ商用電源を供給するための電源プラグ１２が備えられてる。図１及び図２に示すように、ＡＣアダプタ１０において、ＡＣアダプタ１０の外殻を成す外殻ケース１３、ＡＣアダプタへ入力電力を供給するための電源プラグ１２が備えられている。前記外殻ケース１３の一側面には、前記電源プラグ１２が収納される電源プラグ収納部１４が備えられており、前記電源プラグ収納部１４の側面部１５に、係合溝１６が配設される。
【００１３】
図３及び図４に示すように、前記電源プラグ１２は、電源プラグ本体部２１と、ツバ部２２と、前記ツバ部２２を前記電源プラグ本体部２１に係合させるための係合軸２３を備え、前記ツバ部２２には、前記係合溝と係合するし前記ツバ部２２を可動させるための係合軸２３と、前記ツバ部２２を前記電源プラグ本体部２１と嵌合させるための嵌合軸２４が配設される。前記電源プラグ１２には、ＡＣ商用電源と接続するための一対の栓刃２５を備える。
【００１４】
図５及び図６に示すように、前記電源プラグ１２は、前記係合軸２３を前記側面部１５に備えられた前期係合溝１６へ係合し、前記電源プラグ１２を回動させることで、前記係合軸２３は前記係合溝１６に沿って可動し、前記ツバ部２２を可動させて、前記電源プラグ１２を引出した時に、前記電源プラグ１２の外郭端面及び前記本体ケース１１の外郭端部から前記栓刃２４に指などが触れて感電しないようにするための距離を確保するように形成される。可動式のツバ部２２は、感電に対する安全性を向上させるために、前記栓刃２５から４ｍｍ以上の距離を確保するように可動することが望ましい。
【００１５】
更に、前記電源プラグ１２を前記収納部１４に収納した状態で、前記ツバ部２２が前記係合溝１６によって可動され、前記電源プラグ１２が前記本体ケース１１の外郭面から突出しないように収納させることで、前記電源プラグ１２を収納するためのスペースを小さくすることが可能となる。
【００１６】
このように、前記ツバ部２２を前記電源プラグ１２の回動により前記係合溝１６、及び、前記係合軸２３を介して可動させることで、前記電源プラグ１２を収納する時には小さくすることができ、かつ、前記電源プラグ１２を使用する時には、前記栓刃２５に指などが触れることによる感電に対する安全性を向上すると共に、製品を小型化することを可能とした。
【００１７】
図２及び図３に示すように、前記側面部１５に前記可動式のツバ部２２を可動するための目的であれば、前記係合溝１６、及び、前記係合軸２３の形状を、凹凸に限定するものではない。
【産業上の利用可能性】
【００１８】
本発明によるＡＣアダプタは、機器本体に設けられた係合溝に電源プラグに設けられたツバ部、及び、係合軸を連結させる構造とすることで、電源プラグ構造への制約を最小限にすることを実現し、感電に対する安全性を向上させることをも可能とし、利便性、安全性向上に寄与したＡＣアダプタを提供することが出来る。
【図面の簡単な説明】
【００１９】
【図１】本発明の一例における機器本体を示す斜視図
【図２】本発明の一例における機器本体の一部斜視図
【図３】本発明の一例における電源プラグの斜視図
【図４】本発明の一例における電源プラグのＡ−Ａ断面図
【図５】本発明の一例における電源プラグが収納された状態の要部断面図
【図６】本発明の一例における電源プラグが引出された状態の要部断面図
【図７】従来のＡＣアダプタの斜視図
【符号の説明】
【００２０】
１０  ＡＣアダプタ
１１  本体ケース
１２  電源プラグ
１３  外殻ケース
１４  電源プラグ収納部
１５  側面部
１６  係合溝
２１  電源プラグ本体部
２２  ツバ部
２３  係合軸
２４  嵌合軸
２５  一対の栓刃
３１  機器本体
３２  栓刃収納溝
３３  電源プラグ
【図１】
2008187818.tif 000003
【図２】
2008187818.tif 000004
【図３】
2008187818.tif 000005
【図４】
2008187818.tif 000006
【図５】
2008187818.tif 000007
【図６】
2008187818.tif 000008
【図７】
2008187818.tif 000009